(57)【特許請求の範囲】
【請求項１】
変形玩具であって、
外形が一辺の長さ２Ｌのほぼ立方体状態から、外形が第１面及び第２面を有するほぼ矩形平板状態に変形可能に構成される玩具であり、
矩形平板状態のとき前記第１面側に位置する表面及び前記第２面側に位置する裏面を有する基部材と、
前記基部材の裏面であって、前記基部材の対向する一対の端のそれぞれから距離Ｌにある直線上にそれぞれの一方の端部が回動可能に連結され、一方の端部から他方の端部までの長さが２Ｌである第１接続部材及び第２接続部材と、
一方の端部が前記第１接続部材の他方の端部に回動可能に連結された第１折り畳み部材と、
一方の端部が前記第２接続部材の他方の端部に回動可能に連結された第２折り畳み部材と、
を有し、
前記第１折り畳み部材及び前記第２折り畳み部材は、
前記第１接続部材及び前記第２接続部材が互いに接近することにより隣接し、前記第１接続部材及び前記第２接続部材に対して回動することにより立方体状態における前記基部材と対向する壁を構成する第１位置に位置することができ、前記第１接続部材及び前記第２接続部材が互いに離間することにより離間するとともに、それぞれ前記第１接続部材及び前記第２接続部材に対して前記基部材に近づく方向へと回動し前記基部材とほぼ同一平面となる第２位置に位置することができ、
前記第１接続部材の端部の一つと回動可能に連結された第１展開部材と、前記第２接続部材の端部の一つと回動可能に連結された第２展開部材とを有し、
前記第１展開部材及び前記第２展開部材は、立方体状態における前記基部材と垂直な壁を構成する第１位置と、前記基部材と平行な第２位置にそれぞれ位置することができ、
前記第１展開部材の前記基部材から離れた位置にある端には第１側壁部材が回動可能に連結されており、
前記第２展開部材の前記基部材から離れた位置にある端には第２側壁部材が回動可能に連結されており、
前記第１側壁部材及び前記第２側壁部材は、
前記第１展開部材及び前記第２展開部材が第１位置にあるとき、それぞれ前記第１展開部材及び前記第２展開部材に対して回動することにより、立方体状態における前記基部材、前記第１展開部材及び前記第２展開部材に対して垂直な壁を構成する第１位置に位置することができ、前記第１展開部材及び前記第２展開部材が第２位置にあるとき、それぞれ前記第１展開部材及び前記第２展開部材に対して回動することにより、矩形平板状態において第２位置にある前記第１展開部材及び前記第２展開部材とほぼ同一平面となる第２位置に位置することができる、
ことを特徴とする変形玩具。
【請求項２】
請求項１記載の変形玩具であって、
前記第１側壁部材の前記第１展開部材から離れた位置にある端には第１端部材が回動可能に連結されており、
前記第２側壁部材の前記第２展開部材から離れた位置にある端には第２端部材が回動可能に連結されており、
前記第１端部材及び前記第２端部材は、
前記第１側壁部材及び前記第２側壁部材が第１位置にあるとき、それぞれ前記第１側壁部材及び前記第２側壁部材に対して回動し互いに隣接することにより、立方体状態における前記基部材、前記第１側壁部材、前記第２側壁部材、前記第１折り畳み部材及び前記第２折り畳み部材と垂直な壁を構成する第１位置に位置することができ、前記第１側壁部材及び前記第２側壁部材が第２位置にあるとき、前記矩形平板状態において第２位置にある前記第１展開部材、前記第２展開部材、前記第１側壁部材及び前記第２側壁部材とほぼ同一平面となる第２位置に位置することができる、
ことを特徴とする変形玩具。
【請求項３】
請求項２に記載の変形玩具であって、
前記第１展開部材及び前記第２展開部材をそれぞれ第１位置から第２位置へと移動する方向へ付勢する第１付勢手段及び第２付勢手段を有し、
前記第１端部材及び前記第２端部材をそれぞれ前記第１側壁部材及び前記第２側壁部材とほぼ同一平面となる方向へと付勢する第３付勢手段及び第４付勢手段を有し、
前記第１折り畳み部材及び前記第２折り畳み部材を前記第１接続部材及び前記第２接続部材に対して前記基部材に近づく方向へと付勢する第５付勢手段及び第６付勢手段を有することを特徴とする変形玩具。
【請求項４】
請求項３記載の変形玩具であって、
前記第１端部材及び前記第２端部材をそれぞれ第１位置に保持することにより変形玩具の外観を立方体状態に保持可能な保持手段を有し、
前記保持手段による前記第１端部材及び前記第２端部材の保持が解除されたとき、
前記第１端部材及び前記第２端部材はそれぞれ前記第３付勢手段及び前記第４付勢手段による付勢により前記第１側壁部材及び前記第２側壁部材とほぼ同一平面となる方向へと回動し、前記第１側壁部材及び前記第２側壁部材はそれぞれ前記第１展開部材及び前記第２展開部材とほぼ同一平面となる方向へと回動し、前記第１展開部材及び前記第２展開部材はそれぞれ前記第１付勢手段及び前記第２付勢手段による付勢により第２位置へと移動することにより、前記第１端部材、前記第２端部材、前記第１側壁部材、前記第２側壁部材、前記第１展開部材及び前記第２展開部材はそれぞれ第２位置へと移動可能であり、
かつ、
前記第１折り畳み部材は、立方体状態において前記第１展開部材、前記第１側壁部材及び前記第１端部材のいずれかと当接することにより、前記第５付勢手段の付勢に抗して第１位置に保持され、
前記第２折り畳み部材は、立方体状態において前記第２展開部材、前記第２側壁部材及び前記第２端部材のいずれかと当接することにより、前記第６付勢手段の付勢に抗して第１位置に保持され、
前記第１接続部材及び前記第２接続部材を互いに離間する方向へと付勢する第７付勢手段を有し、
前記第１接続部材及び前記第２接続部材は、それぞれ立方体状態において前記第１展開部材及び前記第２展開部材が第１位置にあることにより、前記第７付勢手段による付勢に抗して互いに接近した位置に保持され、
前記第１折り畳み部材及び前記第２折り畳み部材は、
前記第１展開部材、前記第２展開部材、前記第１側壁部材、前記第２側壁部材、前記第１端部材及び前記第２端部材が、前記第１付勢手段、前記第２付勢手段、前記第３付勢手段及び前記第４付勢手段による付勢により前記基部材と平行で、かつ、互いにほぼ同一平面となる方向へと移動を開始して、それぞれ前記第１展開部材、前記第２展開部材、前記第１側壁部材、前記第２側壁部材、前記第１端部材及び前記第２端部材のいずれとも当接しなくなることにより、前記第５付勢手段及び前記第６付勢手段による付勢により前記基部材に近づく方向へと回動し、さらに前記第１展開部材及び前記第２展開部材が前記第１付勢手段及び前記第２付勢手段による付勢により前記第２位置へと移動を開始することで、前記第１接続部材及び前記第２接続部材が前記第７付勢手段による付勢により互いに離間する方向へと回動することにより、第２位置へと移動可能であり、
前記第１展開部材、前記第２展開部材、前記第１側壁部材、前記第２側壁部材、前記第１端部材、前記第２側壁部材、前記第１折り畳み部材及び前記第２折り畳み部材がそれぞれ第２位置に移動を完了することにより外観が矩形平板状態となる、
ことを特徴とする変形玩具。
【請求項５】
請求項３記載の変形玩具であって、
前記第１端部材及び前記第２端部材をそれぞれ第１位置に保持することにより変形玩具の外観を立方体状態に保持可能な保持手段を有し、
前記保持手段による前記第１端部材及び前記第２端部材の保持が解除されたとき、前記第１端部材及び前記第２端部材はそれぞれ前記第３付勢手段及び前記第４付勢手段による付勢により前記第１側壁部材及び前記第２側壁部材とほぼ同一平面となる方向へと回動し、前記第１側壁部材及び前記第２側壁部材はそれぞれ前記第１展開部材及び前記第２展開部材とほぼ同一平面となる方向へと回動し、前記第１展開部材及び前記第２展開部材はそれぞれ前記第１付勢手段及び前記第２付勢手段による付勢により第２位置へと移動することにより、前記第１端部材、前記第２端部材、前記第１側壁部材、前記第２側壁部材、前記第１展開部材及び前記第２展開部材はそれぞれ第２位置へと移動可能であり、
かつ、
前記第１折り畳み部材は、立方体状態において前記第１展開部材、前記第１側壁部材及び前記第１端部材のいずれかと当接することにより、前記第５付勢手段の付勢に抗して第１位置に保持され、
前記第２折り畳み部材は、立方体状態において前記第２展開部材、前記第２側壁部材及び前記第２端部材のいずれかと当接することにより、前記第６付勢手段の付勢に抗して第１位置に保持され、
前記第１接続部材及び前記第２接続部材を互いに接近する方向へと付勢する第７付勢手段と、前記第１接続部材及び前記第２接続部材を、前記第７付勢手段による付勢に抗して互いに離間した位置に支持可能な支持手段と、を有し、
前記第１折り畳み部材及び前記第２折り畳み部材は、
前記第１展開部材、前記第２展開部材、前記第１側壁部材、前記第２側壁部材、前記第１端部材及び前記第２端部材が、前記第１付勢手段、前記第２付勢手段、前記第３付勢手段及び前記第４付勢手段による付勢により前記基部材と平行で、かつ、互いにほぼ同一平面となる方向へと移動を開始して、それぞれ前記第１展開部材、前記第２展開部材、前記第１側壁部材、前記第２側壁部材、前記第１端部材及び前記第２端部材のいずれとも当接しなくなることにより、前記第５付勢手段及び前記第６付勢手段による付勢により前記基部材に近づく方向へと回動し、さらに前記第１接続部材及び前記第２接続部材が前記第７付勢手段による付勢に抗して互いに離間する方向へと回動し前記支持手段により互いに離間した位置に支持されることにより、第２位置へと移動可能であり、
前記第１展開部材、前記第２展開部材、前記第１側壁部材、前記第２側壁部材、前記第１端部材、前記第２側壁部材、前記第１折り畳み部材及び前記第２折り畳み部材がそれぞれ第２位置に移動完了することにより外観が矩形平板状態となる、
ことを特徴とする変形玩具。
【請求項６】
請求項２ないし５のいずれか１項記載の変形玩具であって、
前記第１展開部材、前記第２展開部材、前記第１側壁部材、前記第２側壁部材、前記第１端部材及び前記第２端部材は、それぞれ立方体状態において立方体の内部に位置する面を有しており、
前記内部に位置する面にはそれぞれ所定の情報が表示された情報表示部が形成されていることを特徴とする変形玩具。
【請求項７】
請求項６記載の変形玩具であって、
前記第１展開部材、前記第２展開部材、前記第１側壁部材、前記第２側壁部材、前記第１端部材及び前記第２端部材が第２位置にあるとき、隣接する少なくとも２つの情報表示部のそれぞれに表示されている前記所定の情報が繋がり１つの情報を表現することを特徴とする変形玩具。
【請求項８】
請求項１ないし７のいずれか１項記載の変形玩具であって、
前記第１折り畳み部材及び前記第２折り畳み部材は、それぞれ立方体状態において立方体の内部に位置する面を有しており、
前記内部に位置する面にはそれぞれ所定の情報が表示された情報表示部が形成されており、
前記情報表示部に表示された所定の情報は、前記第１折り畳み部材及び前記第２折り畳み部材を前記基部材から離間させる方向へと回動させることにより視認可能である、
ことを特徴とする変形玩具。
【請求項９】
請求項１ないし８のいずれか１項記載の変形玩具であって、
前記第１折り畳み部材及び前記第２折り畳み部材は、それぞれ立方体状態において立方体の内部に位置する面を有しており、
前記第１接続部材及び前記第２接続部材は、それぞれ矩形平板状態において、前記第１折り畳み部材及び前記第２折り畳み部材の前記内部に位置する面と対向する面を有しており、
前記対向する面にはそれぞれ所定の情報が表示された情報表示部が形成されており、
前記情報表示部に表示された所定の情報は、前記第１折り畳み部材及び前記第２折り畳み部材を前記基部材から離間させる方向へと回動させることにより視認可能である、
ことを特徴とする変形玩具。
【請求項１０】
変形玩具であって、
外形がほぼ多角柱状態から、ほぼ矩形平板状態に変形可能に構成される玩具であり、
基部材と、
前記基部材の第１縁部に回動可能に連結された第１折り畳み部材と、
前記基部材上の第１折り畳み部材が設けられた第１縁部とは異なる位置にある第２縁部に回動可能に連結され、前記第１折り畳み部材の前記基部材に対する回動軸と平行な回動軸周りで回動可能な第２折り畳み部材と、
前記基部材上の第１縁部及び第２縁部とは異なる位置にある第３縁部に回動可能に連結され、前記第１折り畳み部材の前記基部材に対する回動軸と垂直な回動軸周りで回動可能な展開部材と、
前記展開部材上の前記基部材と連結されている位置とは異なる位置に、前記展開部材の前記基部材に対する回動軸と平行な回動軸周りに回動可能に連結されている側壁部材と、
を有し、
前記第１折り畳み部材及び前記第２折り畳み部材はそれぞれ前記基部材に対して回動し前記基部材と垂直となる第１位置と、前記基部材に重なる第２位置に位置することができ、
前記展開部材は前記基部材に対して回動することにより多角柱状態における側面の一部を構成する第１位置、又は、前記基部材とほぼ同一平面となる第２位置に位置することができ、
前記側壁部材は前記展開部材に対して回動することにより多角柱状態における側面の一部を構成する第１位置、又は、前記展開部材とほぼ同一平面となる第２位置に位置することができ、
前記基部材、前記展開部材及び前記側壁部材がそれぞれ第１位置に位置してほぼ多角柱状態から、前記基部材、前記展開部材及び前記側壁部材が互いに回動し第２位置に位置してほぼ同一平面を構成し、前記第１折り畳み部材及び前記第２折り畳み部材が前記基部材に対して回動し第２位置に位置して前記基部材に重なることにより、矩形平板状態に変形可能である、
ことを特徴とする変形玩具。
【請求項１１】
請求項１０記載の変形玩具であって、
前記展開部材を第２位置へと付勢する第１付勢手段と、
前記側壁部材を第２位置へと付勢する第２付勢手段と、
前記第１折り畳み部材を第２位置へと付勢する第３付勢手段と、
前記第２折り畳み部材を第２位置へと付勢する第４付勢手段と、
前記側壁部材を前記第２付勢手段による付勢に抗して第１位置に保持する保持手段を有し、
前記第１折り畳み部材及び前記第２折り畳み部材は、多角柱状態において第１位置にある前記側壁部材及び前記展開部材のいずれかに当接することにより、第１位置に保持され、
前記保持手段による保持が解除されたとき、前記展開部材、前記側壁部材は前記第１付勢手段及び前記第２付勢手段の付勢により、前記基部材とほぼ同一平面で、かつ、互いにほぼ同一平面となる方向へと移動を開始し、
前記第１折り畳み部材及び前記第２折り畳み部材は、前記展開部材及び前記側壁部材が前記基部材とほぼ同一平面で、かつ、互いにほぼ同一平面となる方向へと移動を開始することにより前記側壁部材及び前記展開部材のいずれとも当接しなくなることによって、第２位置へと移動を開始する、
ことを特徴とする変形玩具。
【請求項１２】
請求項１０又は１１記載の変形玩具であって、
前記展開部材及び前記側壁部材は、それぞれ多角柱状態において多角柱の内部に位置する面を有しており、
前記内部に位置する面にはそれぞれ所定の情報が表示された情報表示部が形成されていることを特徴とする変形玩具。
【請求項１３】
請求項１２記載の変形玩具であって、
前記展開部材及び前記側壁部材が第２位置にあるとき、それぞれの情報表示部の表示されている前記所定の情報が繋がり１つの情報を表現することを特徴とする変形玩具。
【請求項１４】
請求項１０ないし１３のいずれか１項記載の変形玩具であって、
前記第１折り畳み部材及び前記第２折り畳み部材は、それぞれ多角柱状態において多角柱の内部に位置する面を有しており、
前記内部に位置する面にはそれぞれ所定の情報が表示された情報表示部が形成されており、
前記情報表示部に表示された所定の情報は、前記第１折り畳み部材及び前記第２折り畳み部材を前記基部材から離間させる方向へと回動させることにより視認可能である、
ことを特徴とする変形玩具。
【請求項１５】
請求項１０ないし１４のいずれか１項記載の変形玩具であって、
前記第１折り畳み部材及び前記第２折り畳み部材は、それぞれ多角柱状態において多角柱の内部に位置する面を有しており、
前記基部材は、矩形平面状態において前記第１折り畳み部材及び前記第２折り畳み部材の前記内部に位置する面と対向する面を有しており、
前記対向する面にはそれぞれ所定の情報が表示された情報表示部が形成されており、
前記情報表示部に表示された所定の情報は、前記第１折り畳み部材及び前記第２折り畳み部材を前記基部材から離間させる方向へと回動させることにより視認可能である、
ことを特徴とする変形玩具。
【発明の詳細な説明】
【技術分野】
【０００１】
本発明は、変形玩具に関する。
【背景技術】
【０００２】
従来、展開可能なサイコロ玩具が提案されている（特許文献１参照）。
特許文献１のサイコロ玩具は、相互に隣接する２枚の主薄板を相互に回動可能とする接続部を有し、この接続部に弾性部材を設けて立方体から開くように主薄板が付勢される。これにより、主薄板が開いて第２の形状に展開されることで、主薄板に配置された主キャラクタが現れる。
【０００３】
ところで、近年、カードに記載された情報（体力、攻撃力又は特殊効果等）を用いて行うカードゲームが広く使用されており、人気を集めている。しかし、特許文献１のサイコロ玩具においては、主キャラクタが現れる第２の形状が矩形平板状でなく、カードゲーム用のカードとして用いるには違和感が大きいものであった。
【先行技術文献】
【特許文献】
【０００４】
【特許文献１】特開２０１１−２２４２０２号公報
【発明の概要】
【発明が解決しようとする課題】
【０００５】
本発明は、立体的な状態から、カードゲーム用のカードとして利用しても違和感の少ない平面的な状態へと変形可能な変形玩具を提供することを目的とする。
【課題を解決するための手段】
【０００６】
本発明は、変形玩具であって、外形が一辺の長さ２Ｌのほぼ立方体状態から、外形が第１面及び第２面を有するほぼ矩形平板状態に変形可能に構成される玩具であり、矩形平板状態のとき前記第１面側に位置する表面及び前記第２面側に位置する裏面を有する基部材と、前記基部材の裏面であって、前記基部材の対向する一対の端のそれぞれから距離Ｌにある直線上にそれぞれの一方の端部が回動可能に連結され、一方の端部から他方の端部までの長さが２Ｌである第１接続部材及び第２接続部材と、一方の端部が前記第１接続部材の他方の端部に回動可能に連結された第１折り畳み部材と、一方の端部が前記第２接続部材の他方の端部に回動可能に連結された第２折り畳み部材と、を有し、前記第１折り畳み部材及び前記第２折り畳み部材は、前記第１接続部材及び前記第２接続部材が互いに接近することにより隣接し、前記第１接続部材及び前記第２接続部材に対して回動することにより立方体状態における前記基部材と対向する壁を構成する第１位置に位置することができ、前記第１接続部材及び前記第２接続部材が互いに離間することにより離間するとともに、それぞれ前記第１接続部材及び前記第２接続部材に対して前記基部材に近づく方向へと回動し前記基部材とほぼ同一平面となる第２位置に位置することができ、それぞれ前記基部材に対して回動可能な第１展開部材及び第２展開部材を有し、前記第１展開部材及び前記第２展開部材は、立方体状態における前記基部材と垂直な壁を構成する第１位置と、前記基部材と平行な第２位置にそれぞれ位置することができ、前記第１展開部材の前記基部材から離れた位置にある端には第１側壁部材が回動可能に連結されており、前記第２展開部材の前記基部材から離れた位置にある端には第２側壁部材が回動可能に連結されており、前記第１側壁部材及び前記第２側壁部材は、前記第１展開部材及び前記第２展開部材が第１位置にあるとき、それぞれ前記第１展開部材及び前記第２展開部材に対して回動することにより、立方体状態における前記基部材、前記第１展開部材及び前記第２展開部材に対して垂直な壁を構成する第１位置に位置することができ、前記第１展開部材及び前記第２展開部材が第２位置にあるとき、それぞれ前記第１展開部材及び前記第２展開部材に対して回動することにより、矩形平板状態において第２位置にある前記第１展開部材及び前記第２展開部材とほぼ同一平面となる第２位置に位置することができることを特徴とする。また、本発明は、変形玩具であって、外形が一辺の長さ２Ｌのほぼ立方体状態から、外形が第１面及び第２面を有するほぼ矩形平板状態に変形可能に構成される玩具であり、矩形平板状態のとき前記第１面側に位置する表面及び前記第２面側に位置する裏面を有する基部材と、前記基部材の裏面であって、前記基部材の対向する一対の端のそれぞれから距離Ｌにある直線上にそれぞれの一方の端部が回動可能に連結され、一方の端部から他方の端部までの長さが２Ｌである第１接続部材及び第２接続部材と、一方の端部が前記第１接続部材の他方の端部に回動可能に連結された第１折り畳み部材と、一方の端部が前記第２接続部材の他方の端部に回動可能に連結された第２折り畳み部材と、を有し、前記第１折り畳み部材及び前記第２折り畳み部材は、前記第１接続部材及び前記第２接続部材が互いに接近することにより隣接し、前記第１接続部材及び前記第２接続部材に対して回動することにより立方体状態における前記基部材と対向する壁を構成する第１位置に位置することができ、前記第１接続部材及び前記第２接続部材が互いに離間することにより離間するとともに、それぞれ前記第１接続部材及び前記第２接続部材に対して前記基部材に近づく方向へと回動し前記基部材とほぼ同一平面となる第２位置に位置することができ、前記第１接続部材の端部の一つと回動可能に連結された第１展開部材と、前記第２接続部材の端部の一つと回動可能に連結された第２展開部材とを有し、前記第１展開部材及び前記第２展開部材は、立方体状態における前記基部材と垂直な壁を構成する第１位置と、前記基部材と平行な第２位置にそれぞれ位置することができ、前記第１展開部材の前記基部材から離れた位置にある端には第１側壁部材が回動可能に連結されており、前記第２展開部材の前記基部材から離れた位置にある端には第２側壁部材が回動可能に連結されており、前記第１側壁部材及び前記第２側壁部材は、前記第１展開部材及び前記第２展開部材が第１位置にあるとき、それぞれ前記第１展開部材及び前記第２展開部材に対して回動することにより、立方体状態における前記基部材、前記第１展開部材及び前記第２展開部材に対して垂直な壁を構成する第１位置に位置することができ、前記第１展開部材及び前記第２展開部材が第２位置にあるとき、それぞれ前記第１展開部材及び前記第２展開部材に対して回動することにより、矩形平板状態において第２位置にある前記第１展開部材及び前記第２展開部材とほぼ同一平面となる第２位置に位置することができることを特徴とする。
【０００７】
本発明は、前記第１側壁部材の前記第１展開部材から離れた位置にある端には第１端部材が回動可能に連結されており、前記第２側壁部材の前記第２展開部材から離れた位置にある端には第２端部材が回動可能に連結されており、前記第１端部材及び前記第２端部材は、前記第１側壁部材及び前記第２側壁部材が第１位置にあるとき、それぞれ前記第１側壁部材及び前記第２側壁部材に対して回動し互いに隣接することにより、立方体状態における前記基部材、前記第１側壁部材、前記第２側壁部材、前記第１折り畳み部材及び前記第２折り畳み部材と垂直な壁を構成する第１位置に位置することができ、前記第１側壁部材及び前記第２側壁部材が第２位置にあるとき、前記矩形平板状態において第２位置にある前記第１展開部材、前記第２展開部材、前記第１側壁部材及び前記第２側壁部材とほぼ同一平面となる第２位置に位置することができるようにしてもよい。
【０００８】
本発明は、前記第１展開部材及び前記第２展開部材をそれぞれ第１位置から第２位置へと移動する方向へ付勢する第１付勢手段及び第２付勢手段を有し、前記第１端部材及び前記第２端部材をそれぞれ前記第１側壁部材及び前記第２側壁部材とほぼ同一平面となる方向へと付勢する第３付勢手段及び第４付勢手段を有し、前記第１折り畳み部材及び前記第２折り畳み部材を前記第１接続部材及び前記第２接続部材に対して前記基部材に近づく方向へと付勢する第５付勢手段及び第６付勢手段を有するようにしてもよい。
【０００９】
本発明は、前記第１端部材及び前記第２端部材をそれぞれ第１位置に保持することにより変形玩具の外観を立方体状態に保持可能な保持手段を有し、前記保持手段による前記第１端部材及び前記第２端部材の保持が解除されたとき、前記第１端部材及び前記第２端部材はそれぞれ前記第３付勢手段及び前記第４付勢手段による付勢により前記第１側壁部材及び前記第２側壁部材とほぼ同一平面となる方向へと回動し、前記第１側壁部材及び前記第２側壁部材はそれぞれ前記第１展開部材及び前記第２展開部材とほぼ同一平面となる方向へと回動し、前記第１展開部材及び前記第２展開部材はそれぞれ前記第１付勢手段及び前記第２付勢手段による付勢により第２位置へと移動することにより、前記第１端部材、前記第２端部材、前記第１側壁部材、前記第２側壁部材、前記第１展開部材及び前記第２展開部材はそれぞれ第２位置へと移動可能であり、かつ、前記第１折り畳み部材は、立方体状態において前記第１展開部材、前記第１側壁部材及び前記第１端部材のいずれかと当接することにより、前記第５付勢手段の付勢に抗して第１位置に保持され、前記第２折り畳み部材は、立方体状態において前記第２展開部材、前記第２側壁部材及び前記第２端部材のいずれかと当接することにより、前記第６付勢手段の付勢に抗して第１位置に保持され、前記第１接続部材及び前記第２接続部材を互いに離間する方向へと付勢する第７付勢手段を有し、前記第１接続部材及び前記第２接続部材は、それぞれ立方体状態において前記第１展開部材及び前記第２展開部材が第１位置にあることにより、前記第７付勢手段による付勢に抗して互いに接近した位置に保持され、前記第１折り畳み部材及び前記第２折り畳み部材は、前記第１展開部材、前記第２展開部材、前記第１側壁部材、前記第２側壁部材、前記第１端部材及び前記第２端部材が、前記第１付勢手段、前記第２付勢手段、前記第３付勢手段及び前記第４付勢手段による付勢により前記基部材と平行で、かつ、互いにほぼ同一平面となる方向へと移動を開始して、それぞれ前記第１展開部材、前記第２展開部材、前記第１側壁部材、前記第２側壁部材、前記第１端部材及び前記第２端部材のいずれとも当接しなくなることにより、前記第５付勢手段及び前記第６付勢手段による付勢により前記基部材に近づく方向へと回動し、さらに前記第１展開部材及び前記第２展開部材が前記第１付勢手段及び前記第２付勢手段による付勢により前記第２位置へと移動を開始することで、前記第１接続部材及び前記第２接続部材が前記第７付勢手段による付勢により互いに離間する方向へと回動することにより、第２位置へと移動可能であり、前記第１展開部材、前記第２展開部材、前記第１側壁部材、前記第２側壁部材、前記第１端部材、前記第２側壁部材、前記第１折り畳み部材及び前記第２折り畳み部材がそれぞれ第２位置に移動を完了することにより外観が矩形平板状態となるようにしてもよい。
【００１０】
本発明は、前記第１端部材及び前記第２端部材をそれぞれ第１位置に保持することにより変形玩具の外観を立方体状態に保持可能な保持手段を有し、前記保持手段による前記第１端部材及び前記第２端部材の保持が解除されたとき、前記第１端部材及び前記第２端部材はそれぞれ前記第３付勢手段及び前記第４付勢手段による付勢により前記第１側壁部材及び前記第２側壁部材とほぼ同一平面となる方向へと回動し、前記第１側壁部材及び前記第２側壁部材はそれぞれ前記第１展開部材及び前記第２展開部材とほぼ同一平面となる方向へと回動し、前記第１展開部材及び前記第２展開部材はそれぞれ前記第１付勢手段及び前記第２付勢手段による付勢により第２位置へと移動することにより、前記第１端部材、前記第２端部材、前記第１側壁部材、前記第２側壁部材、前記第１展開部材及び前記第２展開部材はそれぞれ第２位置へと移動可能であり、かつ、前記第１折り畳み部材は、立方体状態において前記第１展開部材、前記第１側壁部材及び前記第１端部材のいずれかと当接することにより、前記第５付勢手段の付勢に抗して第１位置に保持され、前記第２折り畳み部材は、立方体状態において前記第２展開部材、前記第２側壁部材及び前記第２端部材のいずれかと当接することにより、前記第６付勢手段の付勢に抗して第１位置に保持され、前記第１接続部材及び前記第２接続部材を互いに接近する方向へと付勢する第７付勢手段と、前記第１接続部材及び前記第２接続部材を、前記第７付勢手段による付勢に抗して互いに離間した位置に支持可能な支持手段と、を有し、前記第１折り畳み部材及び前記第２折り畳み部材は、前記第１展開部材、前記第２展開部材、前記第１側壁部材、前記第２側壁部材、前記第１端部材及び前記第２端部材が、前記第１付勢手段、前記第２付勢手段、前記第３付勢手段及び前記第４付勢手段による付勢により前記基部材と平行で、かつ、互いにほぼ同一平面となる方向へと移動を開始して、それぞれ前記第１展開部材、前記第２展開部材、前記第１側壁部材、前記第２側壁部材、前記第１端部材及び前記第２端部材のいずれとも当接しなくなることにより、前記第５付勢手段及び前記第６付勢手段による付勢により前記基部材に近づく方向へと回動し、さらに前記第１接続部材及び前記第２接続部材が前記第７付勢手段による付勢に抗して互いに離間する方向へと回動し前記支持手段により互いに離間した位置に支持されることにより、第２位置へと移動可能であり、前記第１展開部材、前記第２展開部材、前記第１側壁部材、前記第２側壁部材、前記第１端部材、前記第２側壁部材、前記第１折り畳み部材及び前記第２折り畳み部材がそれぞれ第２位置に移動完了することにより外観が矩形平板状態となるようにしてもよい。
【００１１】
本発明では、前記第１展開部材、前記第２展開部材、前記第１側壁部材、前記第２側壁部材、前記第１端部材及び前記第２端部材は、それぞれ立方体状態において立方体の内部に位置する面を有しており、前記内部に位置する面にはそれぞれ所定の情報が表示された情報表示部が形成されているようにしてもよい。
【００１２】
本発明は、前記第１展開部材、前記第２展開部材、前記第１側壁部材、前記第２側壁部材、前記第１端部材及び前記第２端部材が第２位置にあるとき、隣接する少なくとも２つの情報表示部のそれぞれに表示されている前記所定の情報が繋がり１つの情報を表現するようにしてもよい。
【００１３】
本発明では、前記第１折り畳み部材及び前記第２折り畳み部材は、それぞれ立方体状態において立方体の内部に位置する面を有しており、前記内部に位置する面にはそれぞれ所定の情報が表示された情報表示部が形成されており、前記情報表示部に表示された所定の情報は、前記第１折り畳み部材及び前記第２折り畳み部材を前記基部材から離間させる方向へと回動させることにより視認可能であるようにしてもよい。
【００１４】
本発明では、前記第１折り畳み部材及び前記第２折り畳み部材は、それぞれ立方体状態において立方体の内部に位置する面を有しており、前記第１接続部材及び前記第２接続部材は、それぞれ矩形平板状態において、前記第１折り畳み部材及び前記第２折り畳み部材の前記内部に位置する面と対向する面を有しており、前記対向する面にはそれぞれ所定の情報が表示された情報表示部が形成されており、前記情報表示部に表示された所定の情報は、前記第１折り畳み部材及び前記第２折り畳み部材を前記基部材から離間させる方向へと回動させることにより視認可能であるようにしてもよい。
【００１５】
また、本発明は、変形玩具であって、外形がほぼ多角柱状態から、ほぼ矩形平板状態に変形可能に構成される玩具であり、基部材と、前記基部材の第１縁部に回動可能に連結された第１折り畳み部材と、前記基部材上の第１折り畳み部材が設けられた第１縁部とは異なる位置にある第２縁部に回動可能に連結され、前記第１折り畳み部材の前記基部材に対する回動軸と平行な回動軸周りで回動可能な第２折り畳み部材と、前記基部材上の第１縁部及び第２縁部とは異なる位置にある第３縁部に回動可能に連結され、前記第１折り畳み部材の前記基部材に対する回動軸と垂直な回動軸周りで回動可能な展開部材と、前記展開部材上の前記基部材と連結されている位置とは異なる位置に、前記展開部材の前記基部材に対する回動軸と平行な回動軸周りに回動可能に連結されている側壁部材と、を有し、前記第１折り畳み部材及び前記第２折り畳み部材はそれぞれ前記基部材に対して回動し前記基部材と垂直となる第１位置と、前記基部材に重なる第２位置に位置することができ、前記展開部材は前記基部材に対して回動することにより多角柱状態における側面の一部を構成する第１位置、又は、前記基部材とほぼ同一平面となる第２位置に位置することができ、前記側壁部材は前記展開部材に対して回動することにより多角柱状態における側面の一部を構成する第１位置、又は、前記展開部材とほぼ同一平面となる第２位置に位置することができ、前記基部材、前記展開部材及び前記側壁部材がそれぞれ第１位置に位置してほぼ多角柱状態から、前記基部材、前記展開部材及び前記側壁部材が互いに回動し第２位置に位置してほぼ同一平面を構成し、前記第１折り畳み部材及び前記第２折り畳み部材が前記基部材に対して回動し第２位置に位置して前記基部材に重なることにより、矩形平板状態に変形可能であることを特徴とする。
【００１６】
本発明は、前記展開部材を第２位置へと付勢する第１付勢手段と、前記側壁部材を第２位置へと付勢する第２付勢手段と、前記第１折り畳み部材を第２位置へと付勢する第３付勢手段と、前記第２折り畳み部材を第２位置へと付勢する第４付勢手段と、前記側壁部材を前記第２付勢手段による付勢に抗して第１位置に保持する保持手段を有し、前記第１折り畳み部材及び前記第２折り畳み部材は、多角柱状態において第１位置にある前記側壁部材及び前記展開部材のいずれかに当接することにより、第１位置に保持され、前記保持手段による保持が解除されたとき、前記展開部材、前記側壁部材は前記第１付勢手段及び前記第２付勢手段の付勢により、前記基部材とほぼ同一平面で、かつ、互いにほぼ同一平面となる方向へと移動を開始し、前記第１折り畳み部材及び前記第２折り畳み部材は、前記展開部材及び前記側壁部材が前記基部材とほぼ同一平面で、かつ、互いにほぼ同一平面となる方向へと移動を開始することにより前記側壁部材及び前記展開部材のいずれとも当接しなくなることによって、第２位置へと移動を開始するようにしてもよい。
【００１７】
本発明では、前記展開部材及び前記側壁部材は、それぞれ多角柱状態において多角柱の内部に位置する面を有しており、前記内部に位置する面にはそれぞれ所定の情報が表示された情報表示部が形成されているようにしてもよい。
【００１８】
本発明は、前記展開部材及び前記側壁部材が第２位置にあるとき、それぞれの情報表示部の表示されている前記所定の情報が繋がり１つの情報を表現するようにしてもよい。
【００１９】
本発明では、前記第１折り畳み部材及び前記第２折り畳み部材は、それぞれ多角柱状態において多角柱の内部に位置する面を有しており、前記内部に位置する面にはそれぞれ所定の情報が表示された情報表示部が形成されており、前記情報表示部に表示された所定の情報は、前記第１折り畳み部材及び前記第２折り畳み部材を前記基部材から離間させる方向へと回動させることにより視認可能であるようにしてもよい。
【００２０】
本発明では、前記第１折り畳み部材及び前記第２折り畳み部材は、それぞれ多角柱状態において多角柱の内部に位置する面を有しており、前記基部材は、矩形平面状態において前記第１折り畳み部材及び前記第２折り畳み部材の前記内部に位置する面と対向する面を有しており、前記対向する面にはそれぞれ所定の情報が表示された情報表示部が形成されており、前記情報表示部に表示された所定の情報は、前記第１折り畳み部材及び前記第２折り畳み部材を前記基部材から離間させる方向へと回動させることにより視認可能であるようにしてもよい。
【発明の効果】
【００２１】
本発明によれば、立体的な状態から、カードゲーム用のカードとして利用しても違和感の少ない平面的な状態へと変形可能な変形玩具を提供することができる。
【図面の簡単な説明】
【００２２】
【図１】本発明の第１実施形態に係る変形玩具の斜視図である。
【図２】図１に示される変形玩具の展開した状態の斜視図である。
【図３】（ａ）は図２に示される変形玩具の平面図、（ｂ）は図２に示される変形玩具の裏面図である。
【図４】図３（ａ）に示される変形玩具において第１折り畳み部材及び第２折り畳み部材を開いた状態を示す図である。
【図５】図１のＡ矢視図である。
【図６】図１に示される変形玩具を模式的に示す斜視図である。
【図７】図６に示される変形玩具の作用説明図である。
【図８】図２に示される変形玩具を模式的に示す斜視図である。
【図９】本発明の第２実施形態に係る変形玩具の斜視図である。
【図１０】図９に示される変形玩具の展開した状態の平面図である。
【図１１】図１０に示される変形玩具において第１折り畳み部材及び第２折り畳み部材を開いた状態を示す図である。
【図１２】図９に示される変形玩具の作用説明図である。
【発明を実施するための形態】
【００２３】
（実施形態）
以下、添付図面を参照して、本発明を実施するための形態（以下、「実施形態」という）について詳細に説明する。実施形態の説明の全体を通して同じ要素には同じ番号を付している。なお、図面は符号の向きに見るものとする。
【００２４】
（第１実施形態）
まず、第１実施形態の変形玩具１０の構成を図１〜図５に基づいて説明する。
この変形玩具１０は、図１に示される外形が一辺の長さ２Ｌのほぼ立方体状態（以下、単に「立方体状態」という）から、図２に示される外形が第１面１１及び第２面１２を有するほぼ矩形平板状態（以下、単に「矩形平板状態」という）に変形可能な玩具である。
【００２５】
変形玩具１０の遊び方は任意であるが、例えば、複数の使用者のそれぞれが、立方体状態の変形玩具１０をサイコロとして振って優劣や勝敗を決めたり、変形玩具１０を立方体状態から矩形平板状態に展開させ、展開した矩形平板状態において表示される情報５２を互いに見せ合い、その情報５２の内容によって優劣や勝敗を決めたりするなどして、遊ぶことができる。
【００２６】
図１に示すように、変形玩具１０は、立方体状態の上面を形成する基部材２１と、立方体状態の変形玩具１０の内部に立設される第１接続部材２２及び第２接続部材２３と、立方体状態の４つの側面のうち１つの側面を形成する第１展開部材２５及び第２展開部材２６と、立方体状態の底面を形成する第１折り畳み部材２７及び第２折り畳み部材２８と、立方体状態の４つの側面のうち対向する２つの側面を形成する第１側壁部材３１及び第２側壁部材３２と、残る１つの側面を形成する第１端部材３３及び第２端部材３５と、を備える。
【００２７】
基部材２１、第１接続部材２２、第２接続部材２３、第１折り畳み部材２７、第２折り畳み部材２８、第１端部材３３及び第２端部材３５のそれぞれの表面には、図形や文字などを含む各種の模様で構成される表示（例えば、サイコロの目を表す模様など）を施すことができる。
【００２８】
なお、以下の説明において、基部材２１、第１接続部材２２、第２接続部材２３、第１折り畳み部材２７、第２折り畳み部材２８、第１端部材３３及び第２端部材３５のそれぞれについて、立方体状態にある位置を「第１位置」と称し、矩形平板状態にある位置を「第２位置」と称する。
【００２９】
変形玩具１０は、第１展開部材２５及び第２展開部材２６をそれぞれ第１位置から第２位置へと移動する方向へ付勢する第１付勢手段４１及び第２付勢手段４２と、第１端部材３３及び第２端部材３５をそれぞれ第１側壁部材３１及び第２側壁部材３２とほぼ同一平面となる方向へと付勢する第３付勢手段４３及び第４付勢手段４４と、を備える。
【００３０】
また、変形玩具１０は、第１折り畳み部材２７及び第２折り畳み部材２８を第１接続部材２２及び第２接続部材２３に対して基部材２１に近づく方向へと付勢する第５付勢手段４５及び第６付勢手段４６と、変形玩具１０の外観を立方体状態に保持可能な保持手段４８と、第１接続部材２２及び第２接続部材２３を互いに離間する方向へと付勢する第７付勢手段４７と、を備える。なお、各付勢手段の種類は任意であるが、例えば、弾性体（ここでは、ねじりコイルばね）を付勢手段として用いることができる。
【００３１】
各部材の構成を図３（ａ）及び（ｂ）に基づいて説明する。
図３（ａ）及び（ｂ）に示すように、基部材２１は、矩形平板状態のとき第１面１１側に位置する表面２１ａ及び第２面１２側に位置する裏面２１ｂを有する。
【００３２】
第１接続部材２２及び第２接続部材２３は、基部材２１の裏面２１ｂであって、基部材２１の対向する一対の端のそれぞれから距離Ｌにある直線上にそれぞれの一方の端部が回動可能に連結され、一方の端部から他方の端部までの長さが２×Ｌ（すなわち２Ｌ）である。なお、各部材を回動可能にする手段は任意であるが、この変形玩具１０では、回動軸５１を用いて要素同士を回動可能に連結する。
【００３３】
第１折り畳み部材２７は、一方の端部が第１接続部材２２の他方の端部に回動可能に連結される。第２折り畳み部材２８は、一方の端部が第２接続部材２３の他方の端部に回動可能に連結される。
【００３４】
第１折り畳み部材２７及び第２折り畳み部材２８は、第１接続部材２２及び第２接続部材２３が互いに接近することにより隣接し、第１接続部材２２及び第２接続部材２３に対して回動することにより立方体状態（図１参照）における基部材２１と対向する壁を構成する第１位置に位置することができる。一方、第１接続部材２２及び第２接続部材２３が互いに離間することにより、第１折り畳み部材２７及び第２折り畳み部材２８は離間するとともに、それぞれ第１接続部材２２及び第２接続部材２３に対して基部材２１に近づく方向へと回動し基部材２１とほぼ同一平面となる第２位置に位置することができる。
【００３５】
第１展開部材２５及び第２展開部材２６は、それぞれ基部材２１に対して回動可能であり、立方体状態（図１参照）における基部材２１と垂直な壁を構成する第１位置と、基部材２１と平行な第２位置にそれぞれ位置することができる。
【００３６】
第１側壁部材３１は、第１展開部材２５の基部材２１から離れた位置にある端に回動可能に連結される。第２側壁部材３２は、第２展開部材２６の基部材２１から離れた位置にある端に回動可能に連結される。
【００３７】
第１側壁部材３１及び第２側壁部材３２は、第１展開部材２５及び第２展開部材２６が第１位置にあるとき、それぞれ第１展開部材２５及び第２展開部材２６に対して回動することにより、立方体状態（図１参照）における基部材２１、第１展開部材２５及び第２展開部材２６に対して垂直な壁を構成する第１位置に位置することができる。一方、第１展開部材２５及び第２展開部材２６が第２位置にあるとき、第１側壁部材３１及び第２側壁部材３２は、それぞれ第１展開部材２５及び第２展開部材２６に対して回動することにより、矩形平板状態において第２位置にある第１展開部材２５及び第２展開部材２６とほぼ同一平面となる第２位置に位置することができる。
【００３８】
第１端部材３３は、第１側壁部材３１の第１展開部材２５から離れた位置にある端に回動可能に連結される。第２端部材３５は、第２側壁部材３２の第２展開部材２６から離れた位置にある端に回動可能に連結される。
【００３９】
第１端部材３３及び第２端部材３５は、第１側壁部材３１及び第２側壁部材３２が第１位置にあるとき、それぞれ第１側壁部材３１及び第２側壁部材３２に対して回動し互いに隣接することにより、立方体状態（図１参照）における基部材２１、第１側壁部材３１、第２側壁部材３２、第１折り畳み部材２７及び第２折り畳み部材２８と垂直な壁を構成する第１位置に位置することができる。一方、第１側壁部材３１及び第２側壁部材３２が第２位置にあるとき、第１端部材３３及び第２端部材３５は、矩形平板状態において第２位置にある第１展開部材２５、第２展開部材２６、第１側壁部材３１及び第２側壁部材３２とほぼ同一平面となる第２位置に位置することができる。
【００４０】
第１展開部材２５、第２展開部材２６、第１側壁部材３１、第２側壁部材３２、第１端部材３３及び第２端部材３５は、それぞれ立方体状態において立方体の内部に位置する面を有しており、この内部に位置する面には、それぞれ所定の情報が表示された情報表示部５２ａ（この例では、「Ａ」の文字の一部）が形成されている（図３（ａ）参照）。そして、隣接する少なくとも２つの情報表示部５２ａのそれぞれに表示されている所定の情報は、第１展開部材２５、第２展開部材２６、第１側壁部材３１、第２側壁部材３２、第１端部材３３及び第２端部材３５が第２位置にあるとき、繋がり１つの情報５２（この例では、「Ａ」の文字）を表現する（図３（ａ）参照）。
【００４１】
また、第１折り畳み部材２７及び第２折り畳み部材２８は、それぞれ立方体状態において立方体の内部に位置する面を有している。
【００４２】
図４に示すように、この内部に位置する面には、それぞれ所定の情報が表示された情報表示部５５が形成されている。情報表示部５５に表示された所定の情報は、第１折り畳み部材２７及び第２折り畳み部材２８を基部材２１から離間させる方向へと回動させることにより視認可能である。
【００４３】
さらに、第１接続部材２２及び第２接続部材２３は、それぞれ矩形平板状態において、第１折り畳み部材２７及び第２折り畳み部材２８の内部に位置する面と対向する面を有しており、この対向する面には、それぞれ所定の情報が表示された情報表示部５６が形成されている。情報表示部５６に表示された所定の情報は、第１折り畳み部材２７及び第２折り畳み部材２８を基部材２１から離間させる方向へと回動させることにより視認可能である。
【００４４】
図５に示すように、保持手段４８は、第１端部材３３及び第２端部材３５の上端部をそれぞれ第１位置に保持することにより変形玩具１０の外観を立方体状態に保持する。保持手段４８の構成は任意であるが、第１端部材３３及び第２端部材３５の中央側の上端部に係合して第１位置に保持する一方、操作（例えば、押圧）されることで係合を解除可能な係合手段などを用いることができる。
【００４５】
（第１実施形態の変形玩具１０の作用）
次に、変形玩具１０の作用を図６〜図８に基づいてより詳しく説明する。
【００４６】
図６に示すように、変形玩具１０の立方体状態において、第１折り畳み部材２７は、第１展開部材２５、第１側壁部材３１及び第１端部材３３のいずれかと当接することにより、第５付勢手段４５の付勢に抗して第１位置に保持されている。また、第２折り畳み部材２８についても、第２展開部材２６、第２側壁部材３２及び第２端部材３５のいずれかと当接することにより、第６付勢手段４６の付勢に抗して第１位置に保持されている。第１接続部材２２及び第２接続部材２３は、それぞれ第１展開部材２５及び第２展開部材２６が第１位置にあることにより、第７付勢手段４７による付勢に抗して互いに接近した位置に保持されている。
【００４７】
次に、図７に示すように、保持手段４８が操作されるなどして、第１端部材３３及び第２端部材３５の保持が解除されたとき、第１端部材３３及び第２端部材３５は、それぞれ第３付勢手段４３及び第４付勢手段４４による付勢により第１側壁部材３１及び第２側壁部材３２とほぼ同一平面となる方向へと回動する。また、第１側壁部材３１及び第２側壁部材３２が、それぞれ第１展開部材２５及び第２展開部材２６とほぼ同一平面となる方向へと回動する。さらに、第１展開部材２５及び第２展開部材２６が、それぞれ第１付勢手段４１及び第２付勢手段４２による付勢により第２位置へと移動することにより、第１端部材３３、第２端部材３５、第１側壁部材３１、第２側壁部材３２、第１展開部材２５及び第２展開部材２６が、それぞれ第２位置へと移動可能となる。
【００４８】
一方、第１折り畳み部材２７及び第２折り畳み部材２８は、第１展開部材２５、第２展開部材２６、第１側壁部材３１、第２側壁部材３２、第１端部材３３及び第２端部材３５が、第１付勢手段４１、第２付勢手段４２、第３付勢手段４３及び第４付勢手段４４による付勢により基部材２１と平行で、かつ、互いにほぼ同一平面となる方向へと移動を開始することにより、それぞれ第１展開部材２５、第２展開部材２６、第１側壁部材３１、第２側壁部材３２、第１端部材３３及び第２端部材３５のいずれとも当接しなくなる。このため、第１折り畳み部材２７及び第２折り畳み部材２８は、第５付勢手段４５及び第６付勢手段４６による付勢により基部材２１に近づく方向へと回動する（第１接続部材２２及び第２接続部材２３の片側半部に折り重なる）。
【００４９】
さらに、第１接続部材２２及び第２接続部材２３は、第１展開部材２５及び第２展開部材２６が第１付勢手段４１及び第２付勢手段４２による付勢により第２位置へと移動を開始することにより、第７付勢手段４７による付勢により互いに離間する方向（ハの字状に開く方向）へと回動し第２位置へと移動可能となる。その結果、第１展開部材２５、第２展開部材２６、第１側壁部材３１、第２側壁部材３２、第１端部材３３、第２端部材３５、第１折り畳み部材２７及び第２折り畳み部材２８がそれぞれ第２位置に移動完了する。これにより、図８に示すように、外観が矩形平板状態のカード状の変形玩具１０が得られる。
【００５０】
（第１実施形態の変形玩具の効果）
以上、説明した第１実施形態によれば、立体的な状態から、カードゲーム用のカードとして利用しても違和感の少ない平面的な状態へと瞬時に変形可能な変形玩具１０を提供することができる。
【００５１】
（変形玩具の変更例）
変形玩具１０の一部の構成を変更した変更例について説明する。
前述した変形玩具１０（図１参照）では、第１接続部材２２及び第２接続部材２３を互いに離間する方向へと付勢する第７付勢手段４７を採用したが、この他、例えば、図１において、第７付勢手段４７の代わりに、第１接続部材２２及び第２接続部材２３を互いに接近する方向へと付勢する第７付勢手段を設け、このような第７付勢手段による付勢に抗して第１接続部材２２及び第２接続部材２３を互いに離間した位置に支持可能な支持手段を設けることもできる。
【００５２】
支持手段の構成は任意であるが、例えば、支持手段として、第１接続部材２２及び第２接続部材２３と、矩形平板状態において第１接続部材２２及び第２接続部材２３と隣接する他の部材のうち、一方の部材に爪部を設け、他方の部材に爪部に係合・離脱可能な係合部を設けた係合手段を用いることができる。
【００５３】
この変更例においては、変形玩具を立方体状態から矩形平板状態へ変形する際は、第１接続部材２２及び第２接続部材２３を互いに接近する方向へと付勢する第７付勢手段による付勢に抗して第１接続部材２２及び第２接続部材２３を互いに離間する方向へと回動し、支持手段により互いに離間した位置に支持する。一方、変形玩具を矩形平板状態から立方体状態へ変形する際は、支持手段による支持を解除する。これにより、第１接続部材２２及び第２接続部材２３を互いに接近する方向へと付勢する第７付勢手段の付勢力を利用して、第２接続部材２３及び第２接続部材２３を互いに接近する方向へと回動させる。
【００５４】
このような変形玩具の変更例においても、立体的な状態から、カードゲーム用のカードとして利用しても違和感の少ない平面的な状態へと瞬時に変形可能な変形玩具を提供することができる。加えて、変形玩具を矩形平板状態から立方体状態へ変形する際、第１接続部材２２及び第２接続部材２３を互いに接近する方向へと付勢する第７付勢手段の付勢力を利用できるので、立方体状態への変形を容易に行うことができる。
【００５５】
（第２実施形態）
続いて、第２実施形態の変形玩具６０の構成を図９〜図１２に基づいて説明する。
【００５６】
図９に示すように、第２実施形態の変形玩具６０は、外形がほぼ多角柱状態（以下、単に「多角柱状態」という）から、ほぼ矩形平板状態（以下、単に「矩形平板状態」という）に変形可能な玩具である。変形玩具６０は、基部材６１と、基部材６１の第１縁部６１ａに回動可能に連結された第１折り畳み部材６２と、基部材６１上の第１折り畳み部材６２が設けられた第１縁部６１ａとは異なる位置にある第２縁部６１ｂ（この例では、第１縁部６１ａと対辺をなす縁部）に回動可能に連結され、第１折り畳み部材６２の基部材６１に対する回動軸６８と平行な回動軸６８周りで回動可能な第２折り畳み部材６３と、を備える。
【００５７】
なお、以下の説明において、基部材６１、展開部材６５、側壁部材６６、上壁部材６７、第１折り畳み部材６２及び第２折り畳み部材６３のそれぞれについて、多角柱状態にある位置を「第１位置」と称し、矩形平板状態にある位置を「第２位置」と称する。
【００５８】
また、図１０に示すように、変形玩具６０は、基部材６１上の第１縁部６１ａ及び第２縁部６１ｂとは異なる位置にある第３縁部６１ｃに回動可能に連結され、第１折り畳み部材６２の基部材６１に対する回動軸６８と垂直な回動軸６８周りで回動可能な展開部材６５と、展開部材６５上の基部材６１と連結されている位置とは異なる位置に、展開部材６５の基部材６１に対する回動軸６８と平行な回動軸６８周りに回動可能に連結されている側壁部材６６と、を備える。さらに、変形玩具６０は、側壁部材６６上の展開部材６５と連結されている位置とは異なる位置に、側壁部材６６の展開部材６５に対する回動軸６８と平行な回動軸６８周りに回動可能に連結されている上壁部材６７を備える。
【００５９】
そして、変形玩具６０は、展開部材６５を第２位置へと付勢する第１付勢手段７１と、側壁部材６６を第２位置へと付勢する第２付勢手段７２と、第１折り畳み部材６２を第２位置へと付勢する第３付勢手段７３と、第２折り畳み部材６３を第２位置へと付勢する第４付勢手段７４と、上壁部材６７を第２位置へと付勢する第５付勢手段７５と、側壁部材６６及び上壁部材６７を第２付勢手段７２及び第５付勢手段７５による付勢に抗して第１位置に保持する保持手段７６とを備える。なお、保持手段７６の構成は任意であるが、例えば、上壁部材６７に設けた穴６７ａに対して係合・離脱可能なフックなどを基部材６１に設けることなどで構成することができる。
【００６０】
また、展開部材６５、側壁部材６６及び上壁部材６７は、それぞれ多角柱状態において多角柱の内部に位置する面を有しており、内部に位置する面にはそれぞれ所定の情報が表示された情報表示部７７ａが形成されている。そして、展開部材６５、側壁部材６６及び上壁部材６７が第２位置にあるとき、それぞれの情報表示部７６ａの表示されている所定の情報が繋がり１つの情報７７（この例では、矩形で囲われる１つの情報）を表現する。
【００６１】
また、図１１に示すように、第１折り畳み部材６２及び第２折り畳み部材６３は、それぞれ多角柱状態において多角柱の内部に位置する面を有しており、この内部に位置する面には、それぞれ所定の情報が表示された情報表示部７８が形成されている。そして、情報表示部７８に表示された所定の情報は、第１折り畳み部材６２及び第２折り畳み部材６３を基部材６１から離間させる方向へと回動させることにより視認可能である。
【００６２】
さらに、基部材６１は、矩形平面状態において第１折り畳み部材６２及び第２折り畳み部材６３の内部に位置する面と対向する面を有する。この対向する面には、それぞれ所定の情報が表示された情報表示部７９が形成されている。そして、情報表示部７９に表示された所定の情報は、第１折り畳み部材６２及び第２折り畳み部材６３を基部材６１から離間させる方向へと回動させることにより視認可能である。
【００６３】
この変形玩具６０では、第１折り畳み部材６２及び第２折り畳み部材６３は、それぞれ基部材６１に対して回動し基部材６１と垂直となる第１位置（図９参照）と、基部材６１に重なる第２位置（図１０参照）に位置することができる。展開部材６５は、基部材６１に対して回動することにより多角柱状態における側面の一部を構成する第１位置（図９参照）、又は、基部材６１とほぼ同一平面となる第２位置（図１０参照）に位置することができる。側壁部材６６は、展開部材６５に対して回動することにより多角柱状態における側面を形成する第１位置（図９参照）、又は、展開部材６５とほぼ同一平面となる第２位置（図１０参照）に位置することができる。上壁部材６７は、側壁部材６６に対して回動することにより多角柱状態における上面を形成する第１位置（図９参照）、又は、側壁部材６６とほぼ同一平面となる第２位置（図１０参照）に位置することができる。
【００６４】
そして、基部材６１、展開部材６５、側壁部材６６及び上壁部材６７がそれぞれ第１位置に位置する多角柱状態から、基部材６１、展開部材６５、側壁部材６６及び上壁部材６７が互いに回動し第２位置に位置してほぼ同一平面を構成し、第１折り畳み部材６２及び第２折り畳み部材６３が基部材６１に対して回動し第２位置に位置して基部材６１に重なることにより、矩形平板状態に変形可能である。
【００６５】
（第２実施形態の作用）
次に、変形玩具６０の作用を図９、図１２に基づいてより詳しく説明する。
変形玩具６０は、第１折り畳み部材６２及び第２折り畳み部材６３が多角柱状態において第１位置にある側壁部材６６、展開部材６５及び上壁部材６７のいずれかに当接することにより、第１位置に保持されている（図９参照）。
【００６６】
一方、図１２に示すように、保持手段７６による保持が解除されたとき、展開部材６５、側壁部材６６及び上壁部材６７は、第１付勢手段７１、第２付勢手段７２及び第５付勢手段７５の付勢により、基部材６１とほぼ同一平面で、かつ、互いにほぼ同一平面となる方向へと移動を開始する。また、第１折り畳み部材６２及び第２折り畳み部材６３は、展開部材６５及び側壁部材６６が基部材６１とほぼ同一平面で、かつ、互いにほぼ同一平面となる方向へと移動を開始することにより、展開部材６５、側壁部材６６及び上壁部材６７のいずれとも当接しなくなることによって第２位置へと移動完了する。これにより、矩形平板状態の変形玩具６０（図１０参照）が得られる。
【００６７】
（第２実施形態の変形玩具の効果）
以上、説明した第２実施形態においても、立体的な状態から、カードゲーム用のカードとして利用しても違和感の少ない平面的な状態へと瞬時に変形可能であり、かつ、より簡素な構造の変形玩具６０を提供することができる。
【００６８】
以上、実施形態を用いて本発明を説明したが、本発明の技術的範囲は上記実施形態に記載の範囲には限定されないことは言うまでもない。上記実施形態に、多様な変更又は改良を加えることが可能であることが当業者に明らかである。またその様な変更又は改良を加えた形態も本発明の技術的範囲に含まれ得ることが、特許請求の範囲の記載から明らかである。
【符号の説明】
【００６９】
１０    変形玩具
１１    第１面
１２    第２面
２１    基部材
２１ａ  表面
２１ｂ  裏面
２２    第１接続部材
２３    第２接続部材
２５    第１展開部材
２６    第２展開部材
２７    第１折り畳み部材
２８    第２折り畳み部材
３１    第１側壁部材
３２    第２側壁部材
３３    第１端部材
３５    第２端部材
４１    第１付勢手段
４２    第２付勢手段
４３    第３付勢手段
４４    第４付勢手段
４５    第５付勢手段
４６    第６付勢手段
４７    第７付勢手段
４８    保持手段
５１    回動軸
５２    １つの情報
５２ａ  情報表示部
５５    情報表示部
５６    情報表示部
６０    変形玩具
６１    基部材
６１ａ  第１縁部
６１ｂ  第２縁部
６１ｃ  第３縁部
６２    第１折り畳み部材
６３    第２折り畳み部材
６５    展開部材
６６    側壁部材
６８    回動軸
７１    第１付勢手段
７２    第２付勢手段
７３    第３付勢手段
７４    第４付勢手段
７５    第５付勢手段
７６    保持手段
７７    １つの情報
７７ａ  情報表示部
７８    情報表示部
７９    情報表示部
２Ｌ    長さ
【図１】
0005961222.tif 000002
【図５】
0005961222.tif 000003
【図６】
0005961222.tif 000004
【図７】
0005961222.tif 000005
【図８】
0005961222.tif 000006
【図９】
0005961222.tif 000007
【図１０】
0005961222.tif 000008
【図１２】
0005961222.tif 000009
【図２】
0005961222.tif 000010
【図３】
0005961222.tif 000011
【図４】
0005961222.tif 000012
【図１１】
0005961222.tif 000013